(57)【特許請求の範囲】
【請求項１】
Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定する波長調整システムであって、
外部から波長の変更が可能な、前記Ｎ種類の波長の光を出力する波長可変光源と、
前記波長可変光源から出力された光をＮ分岐し、前記アレイ導波回折格子の入力ポートにそれぞれ供給する１対Ｎ分岐カプラと、
前記アレイ導波回折格子の出力ポートから出力される光の波長及びパワーを測定する光パワーメータと、
前記光パワーメータで測定された光の波長及びパワーの値を受け取り、前記アレイ導波回折格子の出力ポートから出力される光のパワーの差が最小となる、前記Ｎ種類の標準波長の光に対応する調整後波長をそれぞれ決定する波長調整装置と、
を有する波長調整システム。
【請求項２】
前記標準波長の間隔をＸＧＨｚとし、光速をＣとしたとき、
前記波長調整装置は、
各標準波長に対して、±Ｃ／２Ｘの範囲でそれぞれ前記波長可変光源から出力させる光の波長を変化させ、前記アレイ導波回折格子の出力ポートから出力される光のパワーの最大値と最小値の差を波長毎に測定し、該差が最小となる波長を前記調整後波長に決定する請求項１記載の波長調整システム。
【請求項３】
Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定する波長調整システムであって、
外部から波長の変更が可能な、前記Ｎ種類の波長の光を前記アレイ導波回折格子の入力ポートにそれぞれ供給する波長可変光源と、
前記アレイ導波回折格子の出力ポートから出力される光の波長及びパワーを測定する光パワーメータと、
前記光パワーメータで測定された光の波長及びパワーの値を受け取り、前記アレイ導波回折格子の出力ポートのうち、前記標準波長に対応しない、意図しない出力ポートから漏れる光のパワーが最も小さくなる、前記Ｎ種類の標準波長の光に対応する調整後波長をそれぞれ決定する波長調整装置と、
を有する波長調整システム。
【請求項４】
前記標準波長の間隔をＸＧＨｚとし、光速をＣとしたとき、
前記波長調整装置は、
前記標準波長に対して、±Ｃ／２Ｘの範囲でそれぞれ前記波長可変光源から出力させる光の波長を変化させ、前記アレイ導波回折格子の出力ポートのうち、前記光パワーメータで測定される意図しない出力ポートから漏れる光の積算量を受け取り、該積算量が最小となる波長を前記調整後波長に決定する請求項３記載の波長調整システム。
【請求項５】
Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定するための波長調整方法であって、
外部から波長の変更が可能な、前記Ｎ種類の波長の光を出力する波長可変光源と、
前記波長可変光源から出力された光をＮ分岐し、前記アレイ導波回折格子の入力ポートにそれぞれ供給する１対Ｎ分岐カプラと、
前記アレイ導波回折格子の出力ポートから出力される光の波長及びパワーを測定する光パワーメータと、
を備えておき、
前記光パワーメータで測定された光の波長及びパワーの値を受け取り、
前記アレイ導波回折格子の出力ポートから出力される光のパワーの差が最小となる、前記Ｎ種類の標準波長の光に対応する調整後波長をそれぞれ決定する波長調整方法。
【請求項６】
前記標準波長の間隔をＸＧＨｚとし、光速をＣとしたとき、
各標準波長に対して、±Ｃ／２Ｘの範囲でそれぞれ前記波長可変光源から出力させる光の波長を変化させ、前記アレイ導波回折格子の出力ポートから出力される光のパワーの最大値と最小値の差を波長毎に測定し、該差が最小となる波長を前記調整後波長に決定する請求項５記載の波長調整方法。
【請求項７】
Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定するための波長調整方法であって、
外部から波長の変更が可能な、前記Ｎ種類の波長の光を前記アレイ導波回折格子の入力ポートにそれぞれ供給する波長可変光源と、
前記アレイ導波回折格子の出力ポートから出力される光の波長及びパワーを測定する光パワーメータと、
を備えておき、
前記光パワーメータで測定された光の波長及びパワーの値を受け取り、
前記アレイ導波回折格子の出力ポートのうち、前記標準波長に対応しない、意図しない出力ポートから漏れる光のパワーが最も小さくなる、前記Ｎ種類の標準波長の光に対応する調整後波長をそれぞれ決定する波長調整方法。
【請求項８】
前記標準波長の間隔をＸＧＨｚとし、光速をＣとしたとき、
前記標準波長に対して、±Ｃ／２Ｘの範囲でそれぞれ前記波長可変光源から出力させる光の波長を変化させ、前記アレイ導波回折格子の出力ポートのうち、前記光パワーメータで測定される意図しない出力ポートから漏れる光の積算量を受け取り、該積算量が最小となる波長を前記調整後波長に決定する請求項７記載の波長調整方法。
【発明の詳細な説明】
【技術分野】
【０００１】
本発明は、波長周回性を有するアレイ導波回折格子（ＡＷＧ：Arrayed Waveguide Grating）（以下、周回性ＡＷＧと称す）を用いた光スイッチに好適な、光信号の波長を調整するための波長調整システム及び方法に関する。
【背景技術】
【０００２】
現在、幹線系の通信ネットワークでは波長が異なる複数の光信号を多重化して伝送する波長分割多重技術が採用されている。このような幹線系の通信ネットワークでは、光信号に変調したパケット（光パケット）を、光のままナノ秒オーダーでスイッチングする光パケットスイッチの実用化が期待されている。
【０００３】
光パケットスイッチには、より多くの対地間通信が可能なように、Ｎ（Ｎは正の整数）入力、Ｎ出力（Ｎ×Ｎ）の大規模な光スイッチが要求される。このようなＮ×Ｎの光スイッチとしては、複数の波長可変光源及び波長合分波器を備え、各ポートに割り当てられた異なる波長の光信号の多元接続を可能にする波長選択型の光スイッチが、例えば特許文献１で提案されている。波長選択型の光スイッチは、複数の波長可変光源から出力される光の波長に応じて、光信号を出力するポートを切り替えることができる。
【０００４】
また、近年は、波長選択型の光スイッチとして波長周回性を有する周回性ＡＷＧが実用化され、今後、該周回性ＡＷＧを用いた大規模な光パケットスイッチが普及すると考えられている。なお、「波長周回性」とは、複数（Ｎ個）の入力ポートと複数（Ｎ個）の出力ポートを持つ光合分波回路において、異なるポートから入力された同じ波長の光信号を、過不足なく必ず異なる出力ポートから出力するような光合分波特性を指す。周回性ＡＷＧは、各入力ポートに入力された波長多重された光信号を、光の波長に応じて異なる出力ポートに振り分ける働きをする。どの波長の光信号をどの出力ポートに振り分けるかは予め入力ポート毎に設定されている。したがって、光信号の波長数と入出力ポート数とを同一にしておき、各入力ポートに対応して各出力ポートから出力する光信号の波長をそれぞれ異なるように設定すれば、入出力ポートを介して光信号を送受信する複数のノードをフルメッシュで接続することが可能になる。
【先行技術文献】
【特許文献】
【０００５】
【特許文献１】特開平５−２４４６４９号公報
【発明の概要】
【発明が解決しようとする課題】
【０００６】
一般に、上記周回性ＡＷＧは、各入出力ポート間でそれぞれの透過波長にずれがあり、各入出力ポート間でそれぞれのパワーの減衰率も異なっている。すなわち、波長及びパワーが同一の光を各入力ポートから入力しても、各出力ポートから出力される光のパワーに差が生じる。
【０００７】
例えば、周回性ＡＷＧを透過した光信号を受信する受信器は、ダイナミックレンジが小さいほど応答速度が速くなる傾向にあるため、各出力ポートから出力される光のパワーの差はできるだけ小さいことが望ましい。
【０００８】
このような問題に対しては、例えば周回性ＡＷＧへ入力する各波長の光を生成する複数の光源（可変波長光源）において、入出力ポート間の波長ずれに応じてそれぞれの出力波長を調整する方法が考えられる。しかしながらそのような方法では、故障等に備えて予備の波長可変光源を準備しておく場合に、入出力ポート毎に設ける予備の波長可変光源も波長を調整する必要があり、光スイッチの調整作業が非常に煩雑になる。
【０００９】
また、一般に、周回性ＡＷＧは、変調された波長毎の光信号を透過させるために、透過ピークが一定の周期（グリッド間隔）であり、該透過ピークを中心とする所定の幅から成る波長帯毎に光信号を透過させる透過フィルタ特性を備えている。この透過フィルタ特性には、隣接する波長帯どうしでオーバーラップする領域があるため、意図しない出力ポートに光信号が漏れてしまう。この漏れ光のパワーが、情報を含む信号光と判定するための受光閾値よりも大きいと、受信後の光信号に他の波長帯で伝送すべき情報が混入することになるため、受信後の光信号でビットエラーが発生してしまう。
【００１０】
したがって、周回性ＡＷＧを光スイッチとして用いる場合は、上記入出力ポート毎にパワーの減衰率が異なることや透過フィルタ特性のオーバーラップを考慮して、光信号として利用する複数種類の波長を、それぞれ簡易に設定できることが望まれる。
【００１１】
本発明は上述したような背景技術が有する問題点を解決するためになされたものであり、周回性ＡＷＧを光スイッチとして用いる場合に、光信号として利用する複数種類の波長を簡易に設定できる波長調整システム及び方法を提供することを目的とする。
【課題を解決するための手段】
【００１２】
上記目的を達成するため本発明の波長調整システムは、Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定する波長調整システムであって、
外部から波長の変更が可能な、前記Ｎ種類の波長の光を出力する波長可変光源と、
前記波長可変光源から出力された光をＮ分岐し、前記アレイ導波回折格子の入力ポートにそれぞれ供給する１対Ｎ分岐カプラと、
前記アレイ導波回折格子の出力ポートから出力される光の波長及びパワーを測定する光パワーメータと、
前記光パワーメータで測定された光の波長及びパワーの値を受け取り、前記アレイ導波回折格子の出力ポートから出力される光のパワーの差が最小となる、前記Ｎ種類の標準波長の光に対応する調整後波長をそれぞれ決定する波長調整装置と、
を有する。
【００１３】
または、Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定する波長調整システムであって、
外部から波長の変更が可能な、前記Ｎ種類の波長の光を前記アレイ導波回折格子の入力ポートにそれぞれ供給する波長可変光源と、
前記アレイ導波回折格子の出力ポートから出力される光の波長及びパワーを測定する光パワーメータと、
前記光パワーメータで測定された光の波長及びパワーの値を受け取り、前記アレイ導波回折格子の出力ポートのうち、前記標準波長に対応しない、意図しない出力ポートから漏れる光のパワーが最も小さくなる、前記Ｎ種類の標準波長の光に対応する調整後波長をそれぞれ決定する波長調整装置と、
を有する。
【００１４】
一方、本発明の波長調整方法は、Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定するための波長調整方法であって、
外部から波長の変更が可能な、前記Ｎ種類の波長の光を出力する波長可変光源と、
前記波長可変光源から出力された光をＮ分岐し、前記アレイ導波回折格子の入力ポートにそれぞれ供給する１対Ｎ分岐カプラと、
前記アレイ導波回折格子の出力ポートから出力される光の波長及びパワーを測定する光パワーメータと、
を備えておき、
前記光パワーメータで測定された光の波長及びパワーの値を受け取り、
前記アレイ導波回折格子の出力ポートから出力される光のパワーの差が最小となる、前記Ｎ種類の標準波長の光に対応する調整後波長をそれぞれ決定する方法である。
【００１５】
または、Ｎを正の整数としたとき、
Ｎ個の入力ポート及び出力ポートを備える、波長周回性を有するアレイ導波回折格子で利用する、Ｎ種類の標準波長の光に対応する調整後の波長である調整後波長をそれぞれ決定するための波長調整方法であって、
外部から波長の変更が可能な、前記Ｎ種類の波長の光を前記アレイ導波回折格子の入力ポートにそれぞれ供給する波長可変光源と、
前記アレイ導波回折格子の出力ポートから出力される光の波長及びパワーを測定する光パワーメータと、
を備えておき、
前記光パワーメータで測定された光の波長及びパワーの値を受け取り、
前記アレイ導波回折格子の出力ポートのうち、前記標準波長に対応しない、意図しない出力ポートから漏れる光のパワーが最も小さくなる、前記Ｎ種類の標準波長の光に対応する調整後波長をそれぞれ決定する方法である。
【００１６】
上記のような波長調整システム及び方法では、波長可変光源が一つで済むため、測定対象のＮ×Ｎ周回性ＡＷＧで利用する、入出力ポート毎に共通のＮ個の波長（調整後波長）を効率的に決定できる。また、予備の波長可変光源を準備する場合でも、各入出力ポートに共通のＮ個の調整後波長に合わせて各波長可変光源の発信波長を設定すればよいため、光スイッチの調整が容易になる。
【発明の効果】
【００１７】
本発明によれば、周回性ＡＷＧを光スイッチとして用いる場合に、光信号として利用する複数種類の波長を簡易に設定できる。
【図面の簡単な説明】
【００１８】
【図１】第１の実施の形態の波長調整システムの一構成例を示すブロック図である。
【図２】図１に示したＮ×Ｎ周回性ＡＷＧの透過フィルタ特性の一例を示す模式図である。
【図３】図１に示したＮ×Ｎ周回性ＡＷＧから出力される光のパワーの一例を示す模式図である。
【図４】図３に示したＮ×Ｎ周回性ＡＷＧから出力される光のパワーの最大値と最小値の一例を示す模式図である。
【図５】図１に示したＮ×Ｎ周回性ＡＷＧから漏れ光が出力される様子の一例を示す模式図である。
【図６】光パケットスイッチの一構成例及び周回性ＡＷＧから漏れ光が出力されたときの動作例を示す模式図である。
【発明を実施するための形態】
【００１９】
次に本発明について図面を用いて説明する。
（第１の実施の形態）
本実施形態では、Ｎ×Ｎ周回性ＡＷＧを光スイッチとして用いる場合に、該Ｎ×Ｎ周回性ＡＷＧで利用する、各波長可変光源で共通に用いるＮ種類の波長（調整後波長）の光をそれぞれ決定する。調整後波長は、Ｎ×Ｎ周回性ＡＷＧで標準に用いる光の波長（標準波長）λ１〜λＮに対する、本発明による調整後の波長である。本実施形態の波長調整システムでは、間隔（グリッド間隔）がＸ（Ｘは正の有理数）ＧＨｚのＮ個の標準波長λ１〜λＮにおいて、それぞれの標準波長λ１〜λＮを中心に±Ｃ／２Ｘ（Ｃは光速）の範囲で波長をスイープさせ、各出力ポートから出力される光のパワーの差が最小となるＮ個の光の調整後波長をそれぞれ決定する。
【００２０】
図１は、第１の実施の形態の波長調整システムの一構成例を示すブロック図である。
【００２１】
図１に示すように、本発明の波長調整システムは、波長可変光源１０、波長調整装置２０、１対Ｎ分岐カプラ３０及び光パワーメータ４０を備え、測定対象であるＮ×Ｎ周回性ＡＷＧ５０が、１対Ｎ分岐カプラ３０及び光パワーメータ４０と接続される構成である。
【００２２】
Ｎ×Ｎ周回性ＡＷＧ５０は、Ｎ個の入力ポートとＮ個の出力ポートを備えた、上記周回性ＡＷＧである。
【００２３】
波長可変光源１０は、Ｎ×Ｎ周回性ＡＷＧ５０の各入力ポートへ入力する、上記標準波長λ１〜λＮ、並びにλ１〜λＮの±Ｃ／２Ｘの範囲の波長の光を生成する。波長可変光源１０は、例えば波長調整装置２０から供給される電流にしたがって出力光の波長を変化させる。波長可変光源１０は、測定対象であるＮ×Ｎ周回性ＡＷＧ５０の特性に応じて、Ｎ種類の標準波長λ１〜λＮ、並びにλ１〜λＮの±Ｃ／２Ｘの範囲の波長の光を出力できればどのような構成でもよく、周知の波長可変光源を用いればよい。
【００２４】
１対Ｎ分岐カプラ３０は、波長可変光源１０から出力された光をＮ分岐し、Ｎ×Ｎ周回性ＡＷＧ５０のＮ個の入力ポートへ供給する。
【００２５】
光パワーメータ４０は、Ｎ×Ｎ周回性ＡＷＧ５０のＮ個の出力ポートから出力される光のパワー及び波長をそれぞれ測定し、その測定結果を波長調整装置２０に出力する。
【００２６】
波長調整装置２０は、波長可変光源１０に供給する電流によって波長可変光源１０から出力される光の波長を制御する波長調整部２１を備えている。波長調整部２１は、波長可変光源１０から出力される光の波長と、該波長可変光源１０に供給する電流値との関係を示す波長テーブルを備えている。波長調整装置２０は、標準波長λ１〜λＮを中心にそれぞれ±Ｃ／２Ｘ（Ｃは光速）の範囲で波長をスイープさせ、光パワーメータ４０で測定された、各出力ポートから出力される光のパワーをその波長に関連付けて、例えば上記波長テーブルに格納する。そして、標準波長λ１〜λＮ毎に、Ｎ個の出力ポートから出力される光のパワーの差が最も小さくなる、調整後波長を決定する。
【００２７】
波長調整装置２０は、例えば出力電流の制御が可能な周知の定電流回路、プログラムにしたがって処理を実行するＣＰＵ、プログラム並びに上記波長テーブルや光パワーメータによる測定結果等を保存するメモリを含む、集積回路や周知の情報処理装置で実現できる。
【００２８】
図２は、図１に示したＮ×Ｎ周回性ＡＷＧの透過フィルタ特性の一例を示す模式図である。
【００２９】
図２に示すように、Ｎ×Ｎ周回性ＡＷＧ５０は、透過波長の間隔（グリッド間隔）がＸＧＨｚとなる、Ｎ個の入力ポート及び出力ポートを備えている。グリッド間隔と波長は、波長＝光速Ｃ（ｍ／ｓ）÷グリッド間隔の関係にある。すなわち、グリッド間隔がＸＧＨｚのＮ×Ｎ周回性ＡＷＧでは、出力ポート毎の透過波長の間隔はＣ÷Ｘとなる。
【００３０】
波長調整時、波長調整装置２０は、波長調整部２１により波長可変光源１０に供給する電流を変化させ、波長可変光源１０から出力される標準波長λ１〜λＮの光について、標準波長λ１〜λＮを中心にそれぞれ±Ｃ／２Ｘ（Ｃは光速）の範囲で波長をスイープさせる。例えば、標準波長λｙ（ｙ＝１，２，３，…，Ｎ）に対する調整を行う場合、波長調整部２１は、波長テーブルを参照し、波長テーブルに登録されたλｙ−Ｃ／２Ｘ（ｎｍ）からλｙ＋Ｃ／２Ｘ（ｎｍ）の範囲で、予め設定された各波長に対応する電流を波長可変光源１０に順次供給し、波長可変光源１０の出力波長をλｙ−Ｃ／２Ｘ（ｎｍ）からλｙ＋Ｃ／２Ｘ（ｎｍ）まで変化させる。
【００３１】
波長可変光源１０から出力された光は、１対Ｎ分岐カプラ３０によりＮ分岐され、Ｎ×Ｎ周回性ＡＷＧ５０の各入力ポートに入力される。Ｎ×Ｎ周回性ＡＷＧ５０に入力された光は、その波長に応じて入力ポート毎に設定された出力ポートから出力される。
【００３２】
光パワーメータ４０は、Ｎ×Ｎ周回性ＡＷＧ５０の各出力ポートから出力された光の波長及びパワーをそれぞれ測定し、その測定結果を波長調整装置２０に供給する。
【００３３】
波長調整装置２０は、光パワーメータ４０から受け取った出力ポート毎の光のパワーの値を、その波長に関連付けて、例えば上記波長テーブルに格納する。そして、λｙ−Ｃ／２Ｘからλｙ＋Ｃ／２Ｘのうち、予め設定された各波長の光のパワーの最大値と最小値の差を計算し、その差の値をその波長に関連付けて保存する。そして、各出力ポートからの光のパワーの差が最も小さくなる波長を検出する。この検出した波長が、測定対象のＮ×Ｎ周回性ＡＷＧ５０を光スイッチとして用いる場合に、Ｎ個の波長可変光源に対して共通に設定する、標準波長λｙに対応する調整後波長となる。波長調整装置２０は、これらの作業をＮ個の標準波長λ１〜λＮに対してそれぞれ実行する。
【００３４】
図３は、図１に示したＮ×Ｎ周回性ＡＷＧから出力される光のパワーの一例を示す模式図である。図４は、図３に示したＮ×Ｎ周回性ＡＷＧから出力される光のパワーの最大値と最小値の一例を示す模式図である。
【００３５】
例えば、図３に示す波長周回性を備えたＮ×Ｎ周回性ＡＷＧ５０において、全ての入力ポートに波長λ１の光を入力した場合、ポート番号１の入力ポートに入力され、ポート番号１の出力ポートから出力される波長λ１の光の減衰率が最も小さく、ポート番号Ｎの入力ポートに入力され、ポート番号Ｎの出力ポートから出力される波長λ１の光の減衰率が最も大きいと仮定すると、図３に示すように各出力ポートから出力される光のパワーに差が生じる。
【００３６】
図４に示すように、例えば標準波長λ１に対する調整を行う場合、波長調整装置２０は、Ｎ×Ｎ周回性ＡＷＧ５０から出力される光を波長λ１−Ｃ／２ｘ（ｎｍ）からλ１＋Ｃ／２ｘ（ｎｍ）まで変化させ、ポート番号１（Out Port 1）〜ポート番号Ｎ（Out Port N）の出力ポートから出力される光のパワーをそれぞれ取得する。図３及び図４に示した例では、ポート番号１（Out Port 1）から出力される光の減衰率が最も小さく、ポート番号Ｎ（Out Port N）のから出力される光の減衰率が最も大きいため、それらの差が最も小さくなる波長λ１＋αを検出する。この波長λ１＋αが、標準波長λ１対応する調整後波長となる。
【００３７】
本実施形態によれば、波長可変光源１０が一つで済むため、測定対象のＮ×Ｎ周回性ＡＷＧ５０で利用する、入出力ポート毎に共通のＮ個の波長（調整後波長）を効率的に決定できる。また、予備の波長可変光源を準備する場合でも、各入出力ポートに共通のＮ個の調整後波長に合わせて、予備の各波長可変光源の出力波長を設定すればよいため、光スイッチの調整が容易になる。さらに、本実施形態では、各出力ポートから出力される光のパワーの差が最小に抑制されるため、出力ポートに接続される各受信器のダイナミックレンジの差異による影響を低減できる。
【００３８】
したがって、周回性ＡＷＧを光スイッチとして用いる場合に、光信号として利用する複数種類の波長を簡易に設定できる。
（第２の実施の形態）
第２の実施の形態では、Ｎ×Ｎ周回性ＡＷＧ５０の意図するポート以外から出力される漏れ光（クロストーク）のパワーを測定し、該漏れ光のパワーが最小となる標準波長λ１〜λＮ毎の光の調整後波長を決定する。
【００３９】
図５は、図１に示したＮ×Ｎ周回性ＡＷＧから漏れ光が出力される様子の一例を示す模式図である。
【００４０】
図２で示したように、Ｎ×Ｎ周回性ＡＷＧ５０では、透過フィルタ特性に、隣接する波長帯どうしでオーバーラップする領域があるため、例えばポート番号２の入力ポートに波長λ１−αの光を入力すると、該光は透過ピークが標準波長λＮのフィルタを透過してポート番号３の出力ポートから漏れ光として出力される。また、ポート番号２の入力ポートに波長λ１＋αの光が入力されると、該光は透過ピークが標準波長λ２のフィルタを透過してポート番号１の出力ポートから漏れ光として出力される。
【００４１】
例えば、波長可変光源、変調器（光変調器）、Ｎ×Ｎ周回性ＡＷＧ及び受信器を備えた光パケットスイッチでは、この漏れ光のパワーが受信器における受光閾値よりも大きくなると、該受信器においてビットエラーが発生する。図６に示すように、Ｎ×Ｎ周回性ＡＷＧにおいて、入出力ポート間で光のパワーの減衰率が大きい出力ポートでは、受信器において受光閾値を低く設定する必要があるため、該出力ポートにおける漏れ光のパワー（積算値）が大きいと、受信器でビットエラーが発生する可能性が高くなる。
【００４２】
そこで、本実施形態の波長調整装置２０は、光パワーメータ４０から受け取った出力ポート毎の光の波長及びパワーの値から、光のクロストークによる漏れ光のパワーを、その波長に関連付けて、例えば上記波長テーブルに格納する。そして、標準波長λ１〜λＮ毎に、漏れ光のパワーが最も小さくなる波長を検出する。この検出した波長が、測定対象のＮ×Ｎ周回性ＡＷＧ５０を光スイッチとして用いる場合に、Ｎ個の波長可変光源で共通に利用する、標準波長λ１〜λＮに対応する調整後波長となる。
【００４３】
本実施形態の波長調整システムでは、波長可変光源１０の出力をＮ×Ｎ周回性ＡＷＧ５０の各入力ポートに順次接続し、入力ポート毎に、標準波長λ１〜λＮを中心に±Ｃ／２Ｘ（Ｃは光速）の範囲で波長をスイープさせ、光パワーメータ４０で各出力ポートの漏れ光のパワー（積算値）を測定し、波長調整装置２０にその測定値を出力すればよい。すなわち、本実施形態の波長調整システムでは、１対Ｎ分岐カプラ３０が不要である。その他の構成及び動作は第１の実施の形態の波長調整システムと同様である。
【００４４】
本実施形態によれば、波長可変光源１０が一つで済むため、測定対象のＮ×Ｎ周回性ＡＷＧ５０で利用する、入出力ポート毎に共通のＮ個の波長（調整後波長）を効率的に決定できる。また、予備の波長可変光源を準備する場合でも、各入出力ポートに共通のＮ個の調整後波長に合わせて予備の各波長可変光源の発信波長を設定すればよいため、光スイッチの調整が容易になる。さらに、本実施形態では、各出力ポートから出力される光のクロストークによる漏れ光のパワーが最小に抑制されるため、出力ポートに接続される各受信器のダイナミックレンジの差異による影響を低減できる。
【００４５】
したがって、第１の実施の形態と同様に、周回性ＡＷＧを光スイッチとして用いる場合に、光信号として利用する複数種類の波長を簡易に設定できる。
【符号の説明】
【００４６】
１０    波長可変光源
２０    波長調整装置
２１    波長調整部
３０    １対Ｎ分岐カプラ
４０    光パワーメータ
５０    Ｎ×Ｎ周回性ＡＷＧ
【図１】
0005466657.tif 000002
【図２】
0005466657.tif 000003
【図３】
0005466657.tif 000004
【図４】
0005466657.tif 000005
【図５】
0005466657.tif 000006
【図６】
0005466657.tif 000007